(57)【要約】【課題】  本願は、屋根材取付部材を用いた縦葺き屋根材を定尺化するための接続構造を提供することを目的とする。その際、浸水したり、風等により屋根材が外れたりしない構造を低コストで提供することを目的とする。【解決手段】  本願は、縦葺き屋根材の接続構造である。縦葺き屋根材は、上重合部と、下重合部と、上重合部と下重合部の間に湾曲形成された溝板部を有する。その溝板部は、上重合部及び下重合部との間に嵌合部を有する。上重合部が、桁行方向に隣り合う縦葺き屋根材の下重合部に重ねられて、山部が形成される形状である。下重合部は、折り下げられた折下片を有している。屋根材取付部材は、縦葺き屋根材の嵌合部が嵌合される被嵌合部と、山部の頂部を支える頂部受部と、溝板部の湾曲に沿った湾曲受部を有している。屋根の流れ方向に接続される縦葺き屋根材同士が、溝板部が下地側に湾曲された状態で重ねられる。【選択図】  図７
2016044456.tif 000002
【特許請求の範囲】
【請求項１】
縦葺き屋根材は、
上重合部と、
下重合部と、
上重合部と下重合部の間に
湾曲形成された溝板部を有し、
該溝板部は、
上重合部及び下重合部との間に嵌合部を有し、
前記上重合部が、
桁行方向に隣り合う縦葺き屋根材の下重合部に重ねられて、
山部が形成される形状であり、
前記下重合部は、
折り下げられた折下片を有しており、
屋根材取付部材は、
前記嵌合部が嵌合される被嵌合部と、
前記山部の頂部を支える頂部受部と、
溝板部の湾曲に沿った湾曲受部を有しており、
屋根の流れ方向に接続される縦葺き屋根材同士が、
溝板部が下地側に湾曲された状態で重ねられる
縦葺き屋根材の接続構造。
【発明の詳細な説明】
【技術分野】
【０００１】
本願は、縦葺き屋根材が、屋根の流れ方向に接続される構造を提供することを目的にしている。
【背景技術】
【０００２】
図８は、従来用いられている縦葺屋根構造である。図８の縦葺屋根構造では、まず下地上に保持部材が固定される。次に、その保持部材に、縦葺屋根板の嵌合部が嵌合される。その際、桁行方向に隣り合う縦葺屋根板の重合部が互いに重合する。このような構造によって、キャップが不要になっている。
【０００３】
図９は、従来用いられている嵌合式縦葺き用屋根材及びその縦葺き用屋根材を用いた屋根の改修方法である。図９の嵌合式縦葺き用屋根材では、隣接配置する他の屋根材の下ハゼ、上ハゼにそれぞれ嵌合、つなぎ合わせて建築構造物の屋根を葺きあげる。また、屋根材本体が長尺縁部の相互間の中央部が下方に向けて最も張り出した湾曲断面形状になっている。こうすることによって、風による負圧に対して浮き上がりを防止することができる。
【先行技術文献】
【特許文献】
【０００４】
【特許文献１】特開２００３−１８４２３０号公報
【特許文献２】特開２０１２−１８０７１９号公報
【発明の概要】
【発明が解決しようとする課題】
【０００５】
図８及び図９の技術は、屋根の寸法にあわせて製造される縦葺き屋根材に関する技術である。したがって、定尺化され、屋根の流れ方向に接続されることが想定された屋根材ではない。そのため、これらの技術に対して、屋根の流れ方向に接続しようとする場合、次のような課題がある。
【０００６】
図８の技術で、屋根の流れ方向に接続しようとする場合、下段の屋根材上に、上段の屋根材が重ねられることが想定される。この場合、下段の面板部と、上段の面板部の間が口あきしやすい。とくに、保持部材に嵌合させることによって取り付けられる構造は、面板部が湾曲しやすく、口あきしやすい。
【０００７】
また、図８の技術は、屋根改修などの野地がないところには取り付けられない。もし無理に取り付けた場合、屋根の流れ方向に接続すると、その接続部分の強度が低くなってしまう。そのため、接続する箇所には、必ずバックアップ材を用いなければならない。
【０００８】
図９の技術で、屋根の流れ方向に接続しようとするとき、下段・上段の屋根材それぞれの上ハゼ・下ハゼを左右すべて嵌合させる必要がある。この場合、接続部分において、下重合部と上重合部が合計４枚重ねになり、嵌合が不十分になる。その結果、外れやすく、危険な状態になる。無理に嵌合させたとしても、想定よりも上ハゼが開いた状態になり、浸水の原因になる。
【０００９】
上記のほか、図９の技術は、断面ハの字型の下開き開口を形成する傾斜側板が必要である。そのため、屋根材の材料を多く使用する。なお、屋根材の材料費は、屋根工事全体の費用に占める割合が高いので、削減が求められている。
【００１０】
上記のほか、図９の技術は、屋根材同士の嵌合のみで組み合わされ、図８の技術のような保持部材（屋根材取付部材）を用いない。そのため、屋根材を取り付けるときなどに、上ハゼ・下ハゼ、湾曲がつぶれてしまうことがある。また、湾曲や、重合部の高さが不均一になり、耐風圧強度や意匠性などが想定よりも劣化する恐れがあった。
【００１１】
本願は、屋根材取付部材を用いた縦葺き屋根材を定尺化するための接続構造を提供することを目的とする。その際、浸水したり、風等により屋根材が外れたりしない構造を低コストで提供することを目的とする。
【課題を解決するための手段】
【００１２】
本願は、縦葺き屋根材の接続構造である。縦葺き屋根材は、上重合部と、下重合部と、上重合部と下重合部の間に湾曲形成された溝板部を有する。その溝板部は、上重合部及び下重合部との間に嵌合部を有する。上重合部が、桁行方向に隣り合う縦葺き屋根材の下重合部に重ねられて、山部が形成される形状である。下重合部は、折り下げられた折下片を有している。屋根材取付部材は、縦葺き屋根材の嵌合部が嵌合される被嵌合部と、山部の頂部を支える頂部受部と、溝板部の湾曲に沿った湾曲受部を有している。屋根の流れ方向に接続される縦葺き屋根材同士が、溝板部が下地側に湾曲された状態で重ねられる。
【発明の効果】
【００１３】
本願は、屋根材取付部材によって取り付けられる縦葺き屋根材を、屋根の流れ方向に接続させることを実現している。そのため、縦葺き屋根材を定尺化することができる。その結果、量産することもできるので、製造コストを低減させることができる。また、運送も容易になり、輸送コストも低減させることができる。さらに、縦葺き屋根材の取り付け現場においても、取り扱いやすいので、施工性が向上する。
【００１４】
本願は、屋根の流れ方向に接続する際、屋根の流れ方向に接続される縦葺き屋根材同士が、溝板部が下地側に湾曲された状態で重ねられる。そのため、湾曲させた屋根材同士が重ねられているので、口あきしにくい。また、溝板部が下地側に湾曲されているので、浮き上がりしにくく、耐風圧強度が高い。
【００１５】
また、湾曲させた屋根材同士が重ねられているので、屋根改修などで野地がない場合であっても接続部分において高強度が確保できる。そのため、接続部分にバックアップ材を用いる必要がない。
【００１６】
本願は、屋根材取付部材の被嵌合部に、縦葺き屋根材の嵌合部が嵌合され、上重合部が、桁行方向に隣り合う縦葺き屋根材の下重合部に重ねられて、山部が形成されている。そのため、屋根の流れ方向に接続するとき、下段・上段の縦葺き屋根材それぞれの限られた部分だけを嵌合させればよい。したがって、下重合部と上重合部が合計４枚重ねになる部分も、嵌合が不十分になることはなく、意匠性・安全性ともに高い状態を維持できる。その結果、外れにくく、浸水の可能性が極めて低い構造になっている。
【００１７】
また、本願は、図９の技術で示されているような、断面ハの字型の下開き開口を形成する傾斜側板がない。そのため、屋根材の材料が少なくて済む。したがって、屋根材の材料費を下げることができるので、屋根工事全体のコストが大幅に低減される。
【００１８】
さらに、上記のほか、本願は、山部の頂部を支える頂部受部と、溝板部の湾曲に沿った湾曲受部を有する屋根材取付部材を用いる。そのため、取り付ける際などに、上重合部・下重合部や湾曲がつぶれてしまうことがない。したがって、湾曲や、山部の高さを容易に均一にすることができるので、耐風圧強度や意匠性などが高い。
【図面の簡単な説明】
【００１９】
【図１】本願における縦葺き屋根材の実施例を示す説明図である。
【図２】本願における縦葺き屋根材の実施例を示す説明図である。
【図３】本願における屋根材取付部材の実施例を示す説明図である。
【図４】本願における屋根材取付部材の実施例を示す説明図である。
【図５】本願における縦葺き屋根材の取り付け実施例を示す説明図である。
【図６】本願における縦葺き屋根材の水上側の実施例を示す説明図である。
【図７】本願の縦葺き屋根材の接続構造の実施例を示す説明図である。
【図８】従来技術を示す説明図である。
【図９】従来技術を示す説明図である。
【発明を実施するための形態】
【００２０】
本願の縦葺き屋根材の接続構造の実施例について、図面に基づいて説明する。図１及び図２は、縦葺き屋根材の実施例である。図３及び図４は、屋根材取付部材の実施例である。図５は、桁行方向に隣り合う縦葺き屋根材の取り付け実施例である。図６は、縦葺き屋根材における水上側の実施例である。図７は、屋根の流れ方向における縦葺き屋根材の接続構造の実施例である。
【００２１】
まず、図１及び図２により、本願における縦葺き屋根材について説明する。
【００２２】
本願の縦葺き屋根材１は、上重合部１１と、下重合部１２と、上重合部１１と下重合部１２の間に湾曲形成された溝板部１３を有する。本願の縦葺き屋根材１は、上重合部１１及び下重合部１２が略平行な位置で、長手方向に連続するように形成されている。また、本願の縦葺き屋根材１は、桁行方向に隣り合う縦葺き屋根材１・１同士の上重合部１１と下重合部１２が組み合わせられる形状に形成されている。また、縦葺き屋根材１は、短手方向において下地側に湾曲されている。
【００２３】
溝板部１３は、上重合部１１及び下重合部１２との間に嵌合部１３１・１３１を有する。すなわち、溝板部１３には、長手方向に連続する嵌合部１３１・１３１が形成されている。本実施例においては、嵌合部１３１は、内側に屈曲形成されている。この嵌合部１３１は、屋根材取付部材２の被嵌合部２１に嵌合される。
【００２４】
下重合部１２は、端縁を裏側に折り下げて形成された折下片１２１を有している。この折下片１２１を形成することにより、縦葺き屋根材１の強度が向上する。たとえば、屋根材取付部材２の被嵌合部２１に、縦葺き屋根材１の嵌合部１３１を嵌合させるために、上から強く押圧しても、変形しにくい。また、運搬時にも、縦葺き屋根材１の長手方向において、たわみを抑え、折れ曲がることを防止できる。
【００２５】
次に、図３及び図４により、本願における屋根材取付部材２について説明する。
【００２６】
本願の屋根材取付部材２は、縦葺き屋根材１の嵌合部１３１が嵌合される被嵌合部２１を有する。本実施例では、縦葺き屋根材１の下重合部１２や上重合部１１が上方に被せられ、上から押圧されることによって、嵌合部１３１が被嵌合部２１に嵌合される。
【００２７】
本願の屋根材取付部材２は、山部の頂部を支える頂部受部２２を有する。本実施例においては、頂部受部２２は、頂部の形状に沿った略円弧状であり、下重合部１２の頂部近傍の裏側に近接又は当接される。なお、下重合部１２の頂部近傍の裏側に近接又は当接される部分は、略円弧状に限らず、山部の頂部を支える形状であればよい。この頂部受部２２は、山部が上から押圧されることによってつぶれることを防止する。
【００２８】
本願の屋根材取付部材２は、溝板部１３の湾曲に沿った湾曲受部２３・２３を左右に有している。この湾曲受部２３によって、縦葺き屋根材１の取付工事などのときに、作業員に踏まれて湾曲が変形してしまうことを防止できる。また、この湾曲受部２３は、縦葺き屋根材１が取り付けられたときに、溝板部１３の裏側に近接される。このとき、溝板部１３の裏側と、湾曲受部２３との間は、概ね２〜５ミリメートル程度の隙間があることが望ましい。この隙間を確保することによって、被嵌合部２１に嵌合部１３１を嵌合させることができる。また、溝板部１３の湾曲と、湾曲受部２３との間に隙間を形成させることによって、縦葺き屋根材１の裏面に裏打材を組み合わせることもできる。
【００２９】
本願の屋根材取付部材２は、下地側に開口する凹設部２４を形成してもよい。凹設部２４が形成されることによって、瓦棒Ｒ１などの既設屋根材Ｒを剥がすことなく、それに被せるようにして屋根材取付部材２を取り付けることができる。このとき、凹設部２４の内側に、瓦棒Ｒ１（既設屋根材Ｒ）などの凸設部が収納される。
【００３０】
本願の屋根材取付部材２は、本実施例においては、アルミ押出成形加工によって製造されている。しかし、加工方法は、これに限定するものではなく、被嵌合部２１、頂部受部２２、湾曲受部２３が形成されていれば、いかなる加工方法で製造されてもよい。たとえば、金属の折り曲げ加工によって製造されてもよい。
【００３１】
次に、図５により、桁行方向に隣り合う縦葺き屋根材１・１の取り付けについて説明する。
【００３２】
本願における縦葺き屋根材１・１の取り付けは、まず屋根材取付部材２が下地に固定される。本願の縦葺き屋根材１は、新築された建物の屋根の野地上でも、既築の建物の屋根材上でも、取り付けることができる。本実施例においては、屋根材取付部材２は、止着具によって固定される。この屋根材取付部材２は、流れ方向及び桁行方向に所定の間隔をおき、複数固定される。
【００３３】
本実施例で示した屋根材取付部材２が桁行方向に連結された形状として、１部材化してもよい。このように１部材にすることで、屋根材取付部材２を取り付ける手間を軽減させることができる。
【００３４】
次に、桁行方向に所定の間隔をおいて固定された屋根材取付部材２・２に、縦葺き屋根材１を取り付ける。このとき、溝板部１３を、桁行方向に隣接する屋根材取付部材２・２の間に入れるようにする。そして、両端の嵌合部１３１・１３１が、それぞれの屋根材取付部材２の被嵌合部２１・２１に嵌合される。嵌合に当たっては、下重合部１２を屋根材取付部材２に被せるように載せて上方から押圧し、上重合部１１を桁行方向に隣り合う屋根材取付部材２の下重合部１２に被せるように載せて上方から押圧される。
【００３５】
次に、桁行方向に隣り合う縦葺き屋根材１・１を取り付ける。既に取り付けられた縦葺き屋根材１の下重合部１２に上重合部１１を被せるように、取り付ける。このとき、上記と同様に、溝板部１３を、桁行方向に隣接する屋根材取付部材２・２の間に入れるようにする。そして、下重合部１２側の嵌合部１３１が、屋根材取付部材２の被嵌合部２１に嵌合される。また、上重合部１１１側の嵌合部１３１が、屋根材取付部材２の被嵌合部２１に嵌合される。
【００３６】
上重合部１１が、隣り合う縦葺き屋根材１の下重合部１２に重ねられることによって、山部１４が形成される。このようして形成された山部１４は、本実施例においては、端面視略半丸形状である。端面視略半丸形状にすることによって、溝板部１３の湾曲とともに、曲線で山谷を描くような形状となり、意匠性が高まる。
【００３７】
本実施例においては、上重合部１１の端縁近傍に屋根材嵌合部１１１が形成されている。上重合部１１１側の嵌合部１３１が、屋根材取付部材２の被嵌合部２１に嵌合されるときに、桁行方向に隣り合う縦葺き屋根材１の嵌合部１３１の外側に嵌合される。この構造により、従来用いられていたキャップ材が不要になり、コストを削減することができる。また、桁行方向に隣り合う縦葺き屋根材１・１同士が嵌合される。そのため、それらがずれたり、外れたりすることを防ぎ、取り付け直後の状態を維持することができる。
【００３８】
本実施例においては、下重合部１２に、上重合部１１が重合されている部分に、略Ｕ字溝１５が形成されている。この略Ｕ字溝１５を形成させることによって、毛細管現象による浸水を防止できる。
【００３９】
次に、図６により、縦葺き屋根材１の水上側について説明する。縦葺き屋根材１の水上側は、上段の縦葺き屋根材１が上に重ねられる部分である。縦葺き屋根材１の水上側は、図６のようにプレス加工されていてもよい。そうすることによって、本願の縦葺き屋根材１が、屋根の流れ方向に接続されやすくなる。図６のように、一段低くなるようにプレス加工されることによって、上段の縦葺き屋根材１を被せた際、仕上がりの意匠性を向上させることができる。なお、プレス加工された部分において、屋根材嵌合部１１１が切り欠かれていることが望ましい。そうすることで、下段・上段の縦葺き屋根材１・１において、屋根材嵌合部１１１が２枚重ねになることがなく、桁行方向に隣り合う縦葺き屋根材１・１同士が、適切な嵌合状態になる。
【００４０】
次に、図７により、本願の縦葺き屋根材１ａ・１ｂの接続構造について説明する。
【００４１】
まず、下段の縦葺き屋根材１ａが、屋根材取付部材２に嵌合されて取り付けられる。次に、上段の縦葺き屋根材１ｂが、屋根材取付部材２に嵌合されて取り付けられる。このとき、下段の縦葺き屋根材１ａの水上側に、上段の縦葺き屋根材１ｂの水下側が被せられるように、重ねられる。
【００４２】
下段及び上段の縦葺き屋根材１ａ・１ｂは、溝板部１３・１３が下地側に湾曲された状態で重ねられている。このように、下段及び上段ともに同方向に湾曲されて重ねられていることによって、湾曲させないもの同士が重ねられるのに比べて格段に口あきしにくい構造になっている。また、本願は、溝板部１３に対して吹上方向の風圧が掛かった場合、嵌合部１３１・１３１と被嵌合部２１・２１との嵌合が深くなる方向に力が加わる構造である。したがって、本願は、吹上方向の風圧に強い構造であると言える。
【００４３】
また、下段と上段の縦葺き屋根材１ａ・１ｂは、ハゼ組みなどをする必要がなく、ただ重ねるだけでよい。ただし、下段と上段で重ねられる縦葺き屋根材１ａ・１ｂ同士の間に、止水材を挟んでもよい。上記のプレス加工によって、止水材を組み合わせやすい形状にしておいてもよい。
【００４４】
縦葺き屋根材１ａ・１ｂが取り付けられた状態において、溝板部１３・１３が下地側に湾曲される深さは、２５〜３５ミリメートルであることが望ましい。この湾曲される深さは、深ければ深いほど耐風圧強度が高まるが、使用される材料が増えるのでコストが高くなる。そのため、２５〜３５ミリメートルが、耐風圧強度、コストの面で最適である。
【００４５】
上記のように、水下側から水上側に向けて、縦葺き屋根材１ａ・１ｂが順に取り付けられていく。最上段の縦葺き屋根材１ｂが取り付けられた後、隣り合う列の縦葺き屋根材１ａ・１ｂが、水下側から水上側に向けて順に取り付けられていく。これが繰り返されて、縦葺き屋根材１ａ・１ｂが取り付けられていく。
【符号の説明】
【００４６】
１        縦葺き屋根材
１ａ      下段の縦葺き屋根材
１ｂ      上段の縦葺き屋根材
１１      上重合部
１１１    屋根材嵌合部
１２      下重合部
１２１    折下片
１３      溝板部
１３１    嵌合部
１４      山部
１５      略Ｕ字溝
２        屋根材取付部材
２１      被嵌合部
２２      頂部受部
２３      湾曲受部
２４      凹設部
Ｒ        既存屋根材
Ｒ１      瓦棒
【図１】
2016044456.tif 000003
【図２】
2016044456.tif 000004
【図３】
2016044456.tif 000005
【図４】
2016044456.tif 000006
【図５】
2016044456.tif 000007
【図６】
2016044456.tif 000008
【図７】
2016044456.tif 000009
【図８】
2016044456.tif 000010
【図９】
2016044456.tif 000011